(57)【要約】      （修正有）【課題】熱中症予防策の啓発のために、カードに温度計を貼り付け、必要情報を記入し、そのまま郵送できる様に形成した液晶温度計付きカードを提供する。【解決手段】熱中症予防対策に活用するために、液晶温度計で温度表示するとともに、発色した温度表示部分の位置の真下に熱中症にかかりやすい温度の危険域を表示することで危険を知らせるとともに、そのカードを郵送可能なハガキサイズ等にすることで熱中症予防対策の情報量を増やすとともに、熱中症予防対策の周知と温度の測定を簡単に測ることを特徴としてカードを形成する。【選択図】図１
0003178087.tif 000002
【実用新案登録請求の範囲】
【請求項１】
熱中症予防対策のためのポイントが書かれているカードであり、表面に熱中症予防対策として目安となる温度の危険域が柔軟性を有する液晶温度計の対応した発色部分のカード上の位置に数字により表示され、カードのサイズを郵送可能なハガキサイズ等にすることで情報量を増やした液晶温度計が組み込まれていることを特徴とする液晶温度計付きカード
【請求項２】
カードを郵送可能なハガキサイズ等にすることでカードの裏に宛名を書いてハガキ郵送料分の切手を貼ることで郵便ポストに投函して郵送することができることを特徴とする請求項１記載の液晶温度計付きカード。
【考案の詳細な説明】
【技術分野】
【０００１】
本考案は、熱中症予防対策に活用するために、液晶温度計で温度表示するとともに、発色した温度表示部分の位置の真下に熱中症にかかりやすい温度の危険域を表示することで危険を知らせるとともに、そのカードを郵送可能なハガキサイズ等にすることで熱中症予防対策の情報量を増やすとともに、熱中症予防対策の周知と温度の測定を簡単に測ることを特徴としたカードである。
【背景技術】
【０００２】
ここでいう液晶温度計とは、温度によって物質が固体←→液体←→気体（又は固相←→液相←→気相）に変わることを物質の３態と呼ばれている。ところが、液相は固相←→液相←→気相の３態の分類の他に固相と液相の間に、固体でもなく、液体でもない特異な状態を示す。この特異な状態を液層状態又は中間相と呼んでおり、液晶がこの中間相にあるときの状態は、物理的には液体と同様の流動性をもつ一方、光学的には固体結晶と同様の強い異方性をもっている。液晶が中間相をとるのは、ある温度条件下で棒状分子の結晶格子の秩序が失われて液状になるにも拘らず、分子の配向秩序は固体液晶と同様に維持されていることによる。この液晶状態と呼ぶ特異な状態が、一定の温度条件（融点の手前）のもとで現れる液晶をサーモトロピック（Ｔｈｅｒｍｏｔｒｏｐｉｃ＝熱親和型）液晶と呼び、この液晶はその分子配列の特徴によって、さらにスメクテック、ネマタック、コレステリックの各液晶に分けられ、温度センサーとして用いられるのはコレステリック液晶である。コレステリック液晶は、反射光の波長が可視光の時に赤、橙、黄、緑、青、藍、紫の７色の色彩を呈するが、実際には可視光の三原色、赤←→緑←→青が強く呈色される。液晶温度計として使用している液晶はこのコレステリックタイプの液晶である。
【先行技術文献】
【特許文献】
【０００３】
【特許文献１】実用新案登録第３１３３９６７号液晶温度計付きポスターこの実用新案は省エネルギー対策に関係したスローガンや図形等の表示が印刷されているポスターであって、このポスターの一部には表面側に柔軟性を有する液晶温度計が組み込まれていることを特徴とする。また、省エネルギー対策として必要な温度と暖房の目安となる上限と下限の温度が液晶温度計の対応したポスター上の位置に数字により表示されていることを特徴とする液晶温度計付きポスターである。「熱中症予防カードポストカードタイプ」は熱中症予防対策を目的としたカードであり温度計の目安としている表示は熱中症になる温度の危険域である。
【特許文献２】実願２０１２−００２４７７熱中症予防対策のためのポイントが書かれているカードであり、表面に熱中症予防対策として目安となる温度の危険域が柔軟性を有する液晶温度計の対応した発色部分のカード上の位置に数字により表示され、前記カードは三つ折りタイプであることを特徴とする液晶温度計付きカードである。本考案の熱中症予防カードポストカードタイプは熱中症予防対策の周知と配布方法に特徴を持つカードでありカードの裏に宛名を書いて郵送料分の切手を貼りポストに投函すれば送付することができるカードである。
【非特許文献】
【０００４】
【非特許文献１】熱中症予防カードに液晶温度計を貼り付けたクレジットカードサイズのカードは弊社も販売しており、一般に市販されている。また、液晶温度計は貼り付けていないがはがきサイズの熱中症予防カードは環境省でも採用している。「熱中症予防カードポストカードタイプ」は熱中症予防対策として重要な温度を知ることを目的としたカードでありなおかつ従来のクレジットカードサイズでは不足する熱中症予防対策の情報量を増やすことができそれをカードの裏面に宛名を書いて郵送料分の切手を貼ることでポストに投函して送付することに特徴のあるカードである。
【考案の概要】
【考案が解決しようとする課題】
【０００５】
熱中症予防対策の一つである「こまめに温度をチェック」し、なおかついつでも手軽に持ち歩くことができるカードのサイズにすること。そのカードの情報の中には「熱中症予防のポイント」「熱中症になったときの症状」「熱中症になってしまったときの行動」をまとめておく必要がある。しかし、クレジットカードのサイズにこれだけの情報を入れることにサイズ上制約があった。また、送付方法も郵送するならば封筒に入れて封緘し郵送料分の切手を貼ってポストに投函する必要があり、送付した後は封筒は廃棄するしかなかった。送付せずに配布するなら人の手を使って配るか取りに来てもらう必要があった。
【課題を解決するための手段】
【０００６】
・熱中症予防対策に活用できるためにはカードの表面部分に柔軟性を有する液晶温度計を貼り付けて温度の発色部分の位置のカードの液晶温度計の真下部分に熱中症になる温度の危険域を表示している。
・カードサイズを郵送可能なハガキサイズ等にすることで「熱中症予防のポイント」「熱中症になったときの症状」「熱中症になってしまったときの行動」について詳しく説明することができお年寄りにも見やすい字の大きさにすることができる。
・カードサイズを郵送可能なハガキサイズ等にすることで表面の液晶温度計を貼り付ける部分にも余裕ができ、従来のクレジットカードサイズの場合の液晶温度計のサイズ６ミリ×６２ミリから８ミリ×７２ミリなどに大きくすることができる。
・液晶温度計の対象温度を従来の２６度から４６度を２０度から４２度などにすることで熱中症にかかりにくい冬は暖房の目安として利用できる。
・カードの裏面の上部２分の１のスペースに宛名を書いて郵送料分の切手を貼りポストに投函することで郵送による配布が可能になる。
【考案の効果】
【０００７】
このカードを持ち歩けばどこにいてもその場所の温度を知ることができ、その温度が熱中症になりやすい危険域かを知ることができる。部屋に貼っておけばこまめに温度のチェックをすることができる。熱中症になりにくい冬は暖房の目安として室内温度計として活用できるため一年中利用することができる。
【図面の簡単な説明】
【０００８】
【図１】本考案の一実施例を示す平面図の表面である。表面の黒塗りの部分に液晶温度計を貼り付ける。
【実施例】
【０００９】
自宅にいるときはいつでもそばに置いておく。温度設定を２０℃からにすることで熱中症にかかりにくい冬も暖房の目安として利用できるため一年中利用することができる。外出するときはバックなどに入れて持ち運ぶ。
【符号の説明】
【００１０】
■黒塗りの部分が液晶温度計の貼り付け部分。液晶温度計のサイズは８ミリ×７２ミリ。温度は２０度から４２度で2度ごとの表示
【図１】
0003178087.tif 000003